(57)【特許請求の範囲】
【請求項１】
炭酸を含む液体と固体とをピッチャー本体に収容する炭酸飲料用のピッチャーであって、
前記液体を注ぐ注ぎ口と、
前記注ぎ口と連続し、前記注ぎ口から前記ピッチャー本体の少なくとも側面下部にまでわたる案内溝部と、
前記ピッチャー本体の上面に、前記液体を前記ピッチャー本体に注入するノズルの注出口が前記注ぎ口又は前記案内溝部と対面する状態で、前記ノズルに対して前記ピッチャー本体を位置決めするノズル案内部とを備えるピッチャー。
【請求項２】
前記案内溝部が前記ピッチャー本体の底面まで延びている請求項１に記載のピッチャー。
【請求項３】
前記ノズル案内部は、前記ノズルに対して前記ピッチャー本体を位置決めするときに前記ノズルの周面の一部を沿わせる案内面から構成され、
前記案内面は、前記注ぎ口又は前記案内溝部と対向する向きに配置されている請求項１または２に記載のピッチャー。
【請求項４】
前記ノズル案内部は、前記ノズルに対して前記ピッチャー本体を位置決めするときに、前記ピッチャー本体が前記ノズルによる液体の注出方向に対して４０〜６０度の間の角度で下方に傾斜する状態となる角度に傾斜している請求項１から３のいずれか一項に記載のピッチャー。
【発明の詳細な説明】
【技術分野】
【０００１】
本発明は、炭酸を含む液体と固体とをピッチャー本体に収容する炭酸飲料用のピッチャーに関する。
【背景技術】
【０００２】
例えば、特表平９−５０４４４１号公報（特許文献１）には、液体と固体とをピッチャー本体に収容して、液体のみを注ぐピッチャーが開示されており、これにより液体のみを的確に分配することができる。
【０００３】
しかし、この種のピッチャーを炭酸飲料に用いた場合、ピッチャー本体に液体を注ぎ入れるときや、ピッチャーから液体を注ぐときなどに、炭酸飲料たる液体が固体と衝突することで、液体から炭酸が抜けてしまう問題がある。特に、ピッチャー本体に液体を注ぎ入れるときには、上方から落ちてくる液体が固体と激しく衝突し、多くの炭酸が抜けてしまう。そうすると、注がれる炭酸飲料は気の抜けた炭酸飲料となってしまい、品質が劣ったものとなる。
【先行技術文献】
【特許文献】
【０００４】
【特許文献１】特表平９−５０４４４１号公報
【発明の概要】
【発明が解決しようとする課題】
【０００５】
液体と固体との衝突を抑制することで液体から炭酸が抜けにくい炭酸飲料用のピッチャーの実現が望まれる。
【課題を解決するための手段】
【０００６】
本発明に係る炭酸飲料用のピッチャーは、
炭酸を含む液体と固体とをピッチャー本体に収容する炭酸飲料用のピッチャーであって、
前記液体を注ぐ注ぎ口と、
前記注ぎ口と連続し、前記注ぎ口から前記ピッチャー本体の少なくとも側面下部にまでわたる案内溝部と、
前記ピッチャー本体の上面に、前記液体を前記ピッチャー本体に注入するノズルの注出口が前記注ぎ口又は前記案内溝部と対面する状態で、前記ノズルに対して前記ピッチャー本体を位置決めするノズル案内部とを備える。
【０００７】
この構成によれば、まず、ピッチャー本体に液体を注ぐときにおいて、案内溝部を通して液体をピッチャー本体に注ぐようにすることにより、液体が、固体に対して上方から落ちてくるといった形でなく、案内溝部を通してピッチャー本体の側面の側から下部にまで注ぎ入れられる。したがって、液体がピッチャー本体に静かに充填されることとなり、液体と固体との衝突を効果的に抑制することができる。また、ピッチャーからジョッキ等に液体を注ぐときにおいても、液体が案内溝部を通って注ぎ口に至るから、液体と固体との衝突を効果的に抑制することができる。このように、液体を注入するときも注出するときも、液体と固体との衝突を効果的に抑制することができ、これにより、液体から炭酸が抜けることを効果的に抑制できる。
また、ノズルに対してピッチャー本体を位置決めしたときにノズル注出口が案内溝部につながる注ぎ口又は案内溝部自体と対面する状態となるから、ピッチャー本体にノズルから液体を注ぎ入れるときに、液体が確度高く案内溝部を通ってピッチャー本体に充填されることになる。これにより、液体と固体との衝突を確度高く抑制することができる。
【０００８】
以下、本発明に係る炭酸飲料用のピッチャーの好適な態様について説明する。但し、以下に記載する好適な態様例によって、本発明の範囲が限定される訳ではない。
【０００９】
１つの態様として、前記案内溝部が前記ピッチャー本体の底面まで延びていると好適である。
【００１０】
この構成によれば、ピッチャー本体に液体を注ぎ入れるときには、液体が案内溝部を通ってそのままピッチャー本体の底面までいたることとなり、ピッチャー本体の底面から液体がピッチャー本体に静かに充填されることとなる。また、ピッチャーから液体を注ぐときには、液体がピッチャー本体の底面から案内溝部を通って注ぎ口まで案内される。したがって、液体と固体との衝突を一層効果的に抑制することができ、これにより、液体から炭酸が抜けることを一層効果的に抑制できる。
【００１３】
１つの態様として、前記ノズル案内部は、前記ノズルに対して前記ピッチャー本体を位置決めするときに前記ノズルの周面の一部を沿わせる案内面から構成され、前記案内面は、前記注ぎ口又は前記案内溝部と対向する向きに配置されていると好適である。
【００１４】
ノズル案内部の形状を、前記ノズルの全周を沿わせる穴の形状にしたり、ノズルの周面の一部を沿わせる面の形状であってこの面を注ぎ口又は案内溝部と同一向きに向くように配置させた場合、注ぎ口とノズル案内部との間が狭くなる。そうすると、注ぎ口から液体を注ぎ出すときに、ノズル案内部が液体に干渉する虞がある。これに対し、この構成によれば、ノズル案内部の形状がノズルの周面の一部を沿わせる面の形状であり、この面が注ぎ口又は案内溝部と対向する向きに配置されるから、注ぎ口とノズル案内部との間を広くすることができる。これにより、注ぎ口から液体を注ぎ出すときに、ノズル案内部が液体に干渉することを効果的に回避できる。
【００１５】
１つの態様として、前記ノズルに対して前記ピッチャー本体を位置決めするときに、前記ピッチャー本体が前記ノズルによる液体の注出方向に対して４０〜６０度の間の角度で下方に傾斜する状態となる角度に傾斜していると好適である。
【００１６】
発明者は、ノズルによる液体の注出方向に対して、ピッチャー本体が４０〜６０度の間の角度（より好ましくは４５度）で下方に傾斜している状態で、ノズルに対してピッチャー本体を位置決めすれば、液体をピッチャー本体に注ぎ入れるときに、液体に含まれる炭酸が極めて抜けにくくなることを見出した。そして、この構成によれば、液体に含まれる炭酸が抜けにくくできるピッチャー本体の角度を容易に現出できるから、液体から炭酸が抜けることを一層効果的に抑制できる。
【図面の簡単な説明】
【００１７】
【図１】ピッチャーの斜視図
【図２】ピッチャーの分解斜視図
【図３】ピッチャーの内側面図
【図４】ピッチャーの内側面図
【図５】ピッチャーの断面図
【図６】図５のＶＩ−ＶＩ断面図
【図７】図５のＶＩＩ−ＶＩＩ断面図
【図８】ピッチャーの使用状態を示す説明図
【図９】ピッチャーの使用状態を示す説明図
【図１０】ピッチャーの使用状態を示す説明図
【発明を実施するための形態】
【００１８】
本発明に係る炭酸飲料用のピッチャーについて、図面を参照して説明する。本実施形態に係る炭酸飲料用のピッチャー１は、炭酸を含む液体Ｌと固体Ｓとをピッチャー本体１０に収容して、液体Ｌのみを注ぐものである。ピッチャー１は、液体Ｌを注ぐ注ぎ口２０と、注ぎ口２０と連続し、注ぎ口２０からピッチャー本体１０の少なくとも内側面１１ａ下部にまでわたる案内溝部３０と、を備える。これにより、液体Ｌと固体Ｓとの衝突を抑制することができて、液体Ｌから炭酸が抜けることを抑制できる。以下、本実施形態に係る炭酸飲料用のピッチャー１について、詳細に説明する。
【００１９】
図１，２に示すように、本実施形態に係る炭酸飲料用のピッチャー１は、炭酸を含む液体Ｌと固体Ｓとを収容するピッチャー本体１０と、液体Ｌを注ぐ注ぎ口２０と、注ぎ口２０と連続する案内溝部３０と、ピッチャー本体１０の上面１５に設置する蓋部４０と、取っ手５０と、を備える。
【００２０】
ピッチャー本体１０は、内側部分１１と外側部分１２の二重底構造で構成され、保冷性を高くしてある。そして、図５に示すように、この二重底構造の内側部分１１は、下方に行くほどわずかに窄まる形状であり、その側面である内側面１１ａから底面である内底面１１ｂにかけての形状は弧を描くなだらかなものとなっている。また、ピッチャー本体１０は、蓋部４０を係止する爪部１３と、液体Ｌや固体Ｓを収容するときの目安となるガイドライン部１４とを備える。
【００２１】
図２，５〜７に示すように、案内溝部３０は、ピッチャー本体１０の内側部分１１の内側面１１ａから内底面１１ｂにかけて、その周方向と垂直に、ピッチャー本体１０の外側部分１２に対して凸となる状態で設けられている。即ち、この案内溝部３０は、くちばし状の注ぎ口２０の下端部からピッチャー本体１０の内底面１１ｂまで延びている。本実施形態では、例えば開口角度を１２０度とし、固体Ｓが案内溝部３０に入り込まないような開口幅としてある。
【００２２】
図５に示すように、注ぎ口２０の先端部２１とこれに連続する案内溝部３０の底部３１とからなる曲線の曲率半径は大きな値としてあり、液体Ｌが流れることとなる注ぎ口２０の内面２３と案内溝部３０の内面３３とがなす流路がなだらかなものになるようにしてある。これにより、流路の変化に伴う流れの乱れにより液体Ｌから炭酸が抜けることを効果的に抑制できる。
【００２３】
一方、図６に示すように、注ぎ口２０の端縁部２２とこれに連続する案内溝部３０の端縁部３２とからなる曲線の曲率半径は、注ぎ口２０の先端部２１と案内溝部３０の底部３１とからなる曲線の曲率半径より小さな値とし、液体Ｌが注がれることとなる注ぎ口２０の内面２３の面積が広くなるようにしてある。これにより、注ぎ口２０の内面２３に液体Ｌを注いだときに液体Ｌが注ぎ口２０から溢れることを効果的に抑制できる。
【００２４】
図８に示すように、案内溝部３０のピッチャー本体１０の内底面１１ｂ側の先端部３４周縁における案内溝部３０（即ち、液体Ｌの流路）は、ピッチャー本体１０を鉛直方向に対して４５度傾けたときにほぼ水平に向くように構成してある。
【００２５】
図１，２に示すように、蓋部４０は、ピッチャー本体１０から着脱自在にしてあり、その係止孔４１をピッチャー本体１０の爪部１３に係止させることで、ピッチャー本体１０に装着される。また、蓋部４０は、液体Ｌをピッチャー本体１０に注入するノズル６０（図８参照）に対してピッチャー本体１０を位置決めするノズル案内部４２と、ピッチャー１から液体Ｌを注ぐときに固体Ｓがピッチャー本体１０の上面からこぼれることを防ぐ固体塞止部４３とを備える。蓋部４０は、ピッチャー本体１０の上面１５の全面を覆うことなく、ピッチャー本体１０の上面１５の少なくとも一部を開放した状態となっている。これにより、蓋部４０を装着した状態で開放部１６から固体Ｓをピッチャー本体１０内に投入したり、ピッチャー本体１０内の固体をピッチャー本体１０から取り出してジョッキやコップに入れたり、この開放部１６を利用してトングなどをピッチャー本体１０に引っ掛けることが可能となる。
【００２６】
ノズル案内部４２について詳しく説明する。図８に示すように、ノズル案内部４２は、ノズル６０の注出口６１が注ぎ口２０の内面２３と対面する状態でノズル６０に対してピッチャー本体１０を位置決めするものである。具体的には、ノズル案内部４２は、ノズル６０の周面６２の一部を沿わせる案内面４２ａから構成されている。この案内面４２ａは、水平方向から所定角度下方に傾斜した斜め方向に蓋部４０の一部を円弧状に切り欠いた形状であり、その切欠き半径は、ノズル６０の径より大きくしてある。これにより、ノズル６０に対して案内面４２ａにゆとりをもたすことができ、案内面４２ａにノズル６０の周面６２を当接させる際に微妙な位置調整が不要となる。また、切欠き半径をノズル６０の径より大きくすると、案内面４２ａに対してノズル６０が水平方向に移動可能となるが、上記したように、液体が注がれることとなる注ぎ口２０の内面２３の面積が広くなるようにしてあるから、ノズル６０が水平方向に移動しても面積の広い注ぎ口２０に液体Ｌが注がれる。
【００２７】
また、案内面４２ａは、注ぎ口２０と対向する向きに配置されている。これにより、注ぎ口２０とノズル案内部４２との間を広くすることができ、注ぎ口２０から液体Ｌを注ぎ出すときに、ノズル案内部４２が液体Ｌに干渉することを効果的に回避できる。また、ノズル６０に対してピッチャー本体１０を位置決めしたときに、ノズル注出口６１が案内溝部３０につながる注ぎ口２０と対面する状態となるから、ピッチャー本体１０にノズル６０から液体Ｌを注ぎ入れるときに、液体Ｌが確度高く案内溝部３０を通ってピッチャー本体１０に充填されることになる。
【００２８】
そして、案内面４２ａは、ピッチャー本体１０を鉛直方向に対して４５度傾けたときに垂直となるように傾斜している。つまり、ノズル案内部４２は、図８に示すように、ノズル６０に対してピッチャー本体１０を位置決めするときに、ピッチャー本体１０がノズル６０による液体Ｌの注出方向（即ち注出口６１の方向）に対して４５度下方に傾斜する状態となる角度に傾斜したものとなっている。ピッチャー本体１０が液体Ｌの注出方向に対して４５度傾斜している状態となるため、液体Ｌはスムーズに案内溝部３０へと導かれて固体Ｓやピッチャー本体１０の側面（内側部分１１・内面３３等）にぶつかることなく、スムーズにピッチャー本体１０に入ることとなる。すなわち、液体Ｌをピッチャー本体１０に注ぎ入れるときに、液体Ｌに含まれる炭酸が極めて抜けにくくなる。
【００２９】
図３，４に示すように、取っ手５０は、ピッチャー本体１０の外側部分１２に設けられている。そして、その持ち手部分５１が垂直となるときに持ち手部分５１に対して最も力が入りやすくなるため、持ち手部分５１は、ピッチャー本体１０を液体Ｌを注ぐ方向に傾けたときに垂直となるように、鉛直方向に対して傾斜させてある。このため、この取っ手５０は、最も力を要する液体Ｌを注ぐときに力が入りやすくなっている。
【００３０】
次に、このピッチャー１をハイボールに用いた例について説明する。まず、ピッチャー本体１０の内側部分１１内に開放部１６から固体としての氷Ｓを、ガイドライン部１４に達するまで投入する。その後、図８に示すように、鉛直下向きのノズル６０をノズル案内部４２の案内面４２ａに沿わせて、ピッチャー本体１０が鉛直方向に対して４５度傾斜する状態で、ノズル６０に対してピッチャー本体１０を位置決めする。そして、ノズル６０の注出口６１から液体としてのハイボールＬを注ぎ口２０の内面２３に向けて注出する。注ぎ口２０の内面２３に注がれたハイボールＬは、注ぎ口２０とつながる案内溝部３０を通って、ピッチャー本体１０の内側部分１１の内底面１１ｂまで達し、ピッチャー本体１０の内側部分１１を充たしていく。そして、ハイボールＬがガイドライン部１４に達するまで充填されたらノズル６０からのハイボールＬの注出を終了する。
【００３１】
図９に示すように、ピッチャー１からハイボールＬを注ぐときは、適当な角度にピッチャー本体１０を傾けて、ジョッキ７０にハイボールＬを注ぐ。このとき、ハイボールＬは、案内溝部３０を通って注がれる。そして、蓋部４０により氷Ｓが注ぎ口２０まで漏れることを防ぎ、ハイボールＬのみがジョッキ７０に注がれる。また、ピッチャー本体１０内のハイボールＬが少なくなったときはピッチャー本体１０を傾ける角度を大きくし、やがて水平に達するが、図１０に示すように、固体塞止部４３により氷Ｓが外部へ落下するのが防がれる。
【００３２】
このように、まず、ピッチャー本体１０にハイボールＬを注ぐとき、案内溝部３０を通してハイボールＬをピッチャー本体１０に注ぐようにすることにより、氷Ｓに対してハイボールＬが上方から落ちてくるといった形でなく、案内溝部３０を通してピッチャー本体１０の内側部分１１の内底面１１ｂの側からハイボールＬがピッチャー本体１０に静かに充填されることとなり、ハイボールＬと氷Ｓとの衝突を効果的に抑制することができる。また、ピッチャー本体１０からハイボールＬを注ぐときにおいても、ハイボールＬが案内溝部３０を通って注ぎ口２０に至るから、ハイボールＬと氷Ｓとの衝突を効果的に抑制することができる。ハイボールＬから炭酸が抜けることを効果的に抑制できる。
【００３３】
〔その他の実施形態〕
最後に、本発明に係る炭酸飲料用のピッチャーのその他の実施形態について説明する。なお、以下のそれぞれの実施形態で開示される構成は、矛盾が生じない限り、他の実施形態で開示される構成と組み合わせて適用することも可能である。
【００３４】
（１）上記の実施形態では、案内溝部３０がピッチャー本体１０の内側部分１１の内底面１１ｂまで延びている構成を例として説明した。しかし、本発明の実施形態はこれに限定されない。例えば、案内溝部３０は、注ぎ口２０からピッチャー本体１０の内側部分１１の少なくとも内側面１１ａ下部にまでわたるものであれば良い。
【００３５】
（２）上記の実施形態では、ピッチャー本体１０に蓋部４０を装着し、この蓋部４０にノズル案内部４２を設けた構成を例として説明した。しかし、本発明の実施形態はこれに限定されない。例えば、蓋部４０はノズル案内部４２を有しなくてもよく、ピッチャー本体１０に蓋部４０を装着しなくても良い。
【００３６】
（３）上記の実施形態では、ノズル案内部４２をノズル６０の周面６２の一部を沿わせる案内面４２ａとして構成した例を説明した。しかし、本発明の実施形態はこれに限定されない。例えば、ノズル６０の周面６２の全周を沿わせる穴の形状にしたり、ノズル６０の周面６２の一部を沿わせる面の形状であってこの面を注ぎ口２０又は案内溝部３０と同一向きに向くように配置させた構成としても良い。
【００３７】
（４）上記の実施形態では、ノズル案内部４２を、ノズル６０の注出口６１が注ぎ口２０の内面２３と対面する状態でノズル６０に対してピッチャー本体１０を位置決めする構成を例として説明した。しかし、本発明の実施形態はこれに限定されない。例えば、ノズル案内部４２が、ノズル６０の注出口６１が案内溝部３０の内面３３と対面する状態でノズル６０に対してピッチャー本体１０を位置決めする構成としても良い。
【００３８】
（５）上記の実施形態では、ノズル案内部４２が、ノズル６０に対してピッチャー本体１０を位置決めするときに、ピッチャー本体１０がノズル６０による液体Ｌの注出方向に対して４５度下方に傾斜する状態となる角度に傾斜した構成を例として説明した。しかし、本発明の実施形態はこれに限定されない。例えば、位置決めにおけるピッチャー本体１０のノズル６０による液体Ｌの注出方向に対する角度は４０〜６０度であれば好適であり、それ以外の角度であってもよい。
【００３９】
（６）上記の実施形態では、案内溝部３０の開口角度を１２０度とし、固体Ｓが案内溝部３０に入り込まないような開口幅とした構成を例として説明した。しかし、本発明の実施形態はこれに限定されない。案内溝部３０の形状としては、固体Ｓが案内溝部３０に入り込まないような開口角度や開口幅であればよい。なお、液体Ｌの流れ面積や案内溝部３０の突出長さを考慮しながら案内溝部３０の形状を決定するとより好適である。
【００４０】
（７）上記の実施形態では、液体としてハイボール、固体として氷を用いた構成を例として説明した。しかし、本発明の実施形態はこれに限定されない。例えば、液体としてはチューハイやソーダ水など他の炭酸飲料を用いても良い。また、ピッチャー１をサングリアに利用するとし、液体としてワインをソーダで割ったものを用い、固体として果物を用いても良い。その他、固体としてはゼリー状のものなども考えられる。つまり、固体としては、液体とは異なる成分の固形分であり、その固さや粘弾性は特に限定されるものではない。
【００４１】
（８）その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００４２】
本発明は、例えば炭酸飲料用のピッチャーに利用することができる。
【符号の説明】
【００４３】
１            ピッチャー
１０          ピッチャー本体
１１ａ        側面（内側面）
１１ｂ        底面（内底面）
１５          上面
２０          注ぎ口
３０          案内溝部
４２          ノズル案内部
４２ａ        案内面
６０          ノズル
６１          注出口
６２          周面
Ｌ            ハイボール（液体）
Ｓ            氷（固体）
【図１】
0006498963.tif 000002
【図２】
0006498963.tif 000003
【図３】
0006498963.tif 000004
【図４】
0006498963.tif 000005
【図５】
0006498963.tif 000006
【図６】
0006498963.tif 000007
【図７】
0006498963.tif 000008
【図８】
0006498963.tif 000009
【図９】
0006498963.tif 000010
【図１０】
0006498963.tif 000011